(57)【要約】【課題】原稿の取り忘れを抑制する。【解決手段】画像読取装置は、読取ジョブを実行する画像読取部と、原稿押えと、原稿押えの開閉を検知するための開閉センサーと、制御部と、記憶部と、報知部と、を備え、制御部は、読取ジョブで得られた原稿の画像データのうち１ライン分の主走査ラインの画像データを基準データとして記憶部に記憶させ、読取ジョブが終了して以降、原稿押えが開閉されたことを検知すると、基準データと同じラインを読み取る確認ジョブを画像読取部に行わせ、確認ジョブで得られた確認用データと基準データとを比較することにより、読取ジョブで読み取った原稿と同じ原稿を確認ジョブで読み取ったか否かを判断し、同じ原稿を読み取ったと判断したとき、原稿が残っている旨の報知を報知部に行わせる。【選択図】図５
2019075751.tif 000002
【特許請求の範囲】
【請求項１】
コンタクトガラスに載置された原稿を読み取る読取ジョブを実行する画像読取部と、
開閉可能に支持され、閉じられることによって前記コンタクトガラスに載置された原稿を押える原稿押えと、
前記原稿押えの開閉を検知するための開閉センサーと、
前記画像読取部を制御する制御部と、
情報を記憶する記憶部と、
ユーザーに対して報知を行う報知部と、を備え、
前記制御部は、前記読取ジョブで得られた原稿の画像データのうち１ライン分の主走査ラインの画像データを基準データとして前記記憶部に記憶させ、前記読取ジョブが終了して以降、前記開閉センサーの出力値に基づき前記原稿押えが開閉されたことを検知すると、前記基準データと同じラインを読み取る確認ジョブを前記画像読取部に行わせ、前記確認ジョブで得られた画像データである確認用データと前記基準データとを比較することにより、前記読取ジョブで読み取った原稿と同じ原稿を前記確認ジョブで読み取ったか否かを判断し、前記読取ジョブで読み取った原稿と同じ原稿を前記確認ジョブで読み取ったと判断したとき、前記コンタクトガラスに原稿が残っている旨の報知を前記報知部に行わせることを特徴とする画像読取装置。
【請求項２】
前記制御部は、前記確認ジョブでは前記読取ジョブで読み取った原稿と同じ原稿を読み取っていないと判断したとき、前記コンタクトガラスに原稿が残っている旨の報知を前記報知部に行わせないことを特徴とする請求項１に記載の画像読取装置。
【請求項３】
前記制御部は、前記読取ジョブで読み取った原稿の画像データのうち当該原稿に記録された画像が存在する画像領域を認識し、前記画像領域の画素を含む主走査ラインの画像データのうち副走査方向の先端位置に最も近い主走査ラインの画像データを前記基準データとして前記記憶部に記憶させることを特徴とする請求項１または２に記載の画像読取装置。
【請求項４】
前記制御部は、前記読取ジョブが終了してから、前記原稿押えが閉じられたまま所定時間が経過したとき、前記コンタクトガラスに原稿が残っている旨の報知を前記報知部に行わせることを特徴とする請求項１〜３のいずれか１項に記載の画像読取装置。
【請求項５】
請求項１〜４のいずれか１項に記載の画像読取装置を備えることを特徴とする画像形成装置。
【発明の詳細な説明】
【技術分野】
【０００１】
本発明は、原稿を読み取る画像読取装置および画像形成装置に関する。
【背景技術】
【０００２】
画像読取装置を用いて原稿を読み取るとき、ユーザーはコンタクトガラスに原稿を載置する。画像読取装置は、読取ジョブの実行指示をユーザーから受け付けると、コンタクトガラスに載置された原稿を読み取り、原稿の画像データを生成する。このような画像読取装置は、特許文献１に開示されている。
【０００３】
特許文献１の画像読取装置は、読取ジョブが終了してから所定時間が経過すると、読み取りを再度行い、このときの読み取りで生成した画像データを比較用画像データとして取得し、読取ジョブで生成した画像データ（出力用画像データ）と比較用画像データとを比較する。
【０００４】
ここで、比較用画像データを取得するための読み取り時に、直前の読取ジョブで読み取った原稿がコンタクトガラスに載置されたまま残っていれば（ユーザーが原稿を取り忘れていれば）、出力用画像データと比較用画像データとが一致する。そこで、特許文献１の画像読取装置は、出力用画像データと比較用画像データとを比較した結果、出力用画像データと比較用画像データとが一致すれば、原稿の取り忘れが発生していると判断し、コンタクトガラスに原稿が残っている旨をユーザーに報知する。
【先行技術文献】
【特許文献】
【０００５】
【特許文献１】特開２００３−４６６９９号公報
【発明の概要】
【発明が解決しようとする課題】
【０００６】
特許文献１の構成では、読取ジョブの終了後、ユーザーが原稿を取り忘れた場合、その旨の報知（取り忘れ報知）をユーザーに対して行う。しかし、取り忘れ報知を行っても、ユーザーが取り忘れ報知に気付かない場合がある。ユーザーが取り忘れ報知に気付かなければ、コンタクトガラスに原稿が残ったまま放置される（原稿の取り忘れを抑制することができない）。
【０００７】
たとえば、特許文献１の構成において、比較用画像データを取得するための読み取りが行われている最中に、ユーザーが画像読取装置の設置場所から立ち去ったとする。この場合、出力用画像データと比較用画像データとを比較した結果、原稿の取り忘れが発生していると判断して取り忘れ報知を行っても、その時点ではユーザーが画像読取装置の設置場所に居ないので、ユーザーが取り忘れ報知に気付かないという不都合が生じ得る。
【０００８】
本発明は、上記課題を解決するためになされたものであり、原稿の取り忘れを抑制することが可能な画像読取装置および画像形成装置を提供することを目的とする。
【課題を解決するための手段】
【０００９】
上記目的を達成するため、本発明の第１の局面による画像読取装置は、コンタクトガラスに載置された原稿を読み取る読取ジョブを実行する画像読取部と、開閉可能に支持され、閉じられることによってコンタクトガラスに載置された原稿を押える原稿押えと、原稿押えの開閉を検知するための開閉センサーと、画像読取部を制御する制御部と、情報を記憶する記憶部と、ユーザーに対して報知を行う報知部と、を備える。制御部は、読取ジョブで得られた原稿の画像データのうち１ライン分の主走査ラインの画像データを基準データとして記憶部に記憶させ、読取ジョブが終了して以降、開閉センサーの出力値に基づき原稿押えが開閉されたことを検知すると、基準データと同じラインを読み取る確認ジョブを画像読取部に行わせ、確認ジョブで得られた画像データである確認用データと基準データとを比較することにより、読取ジョブで読み取った原稿と同じ原稿を確認ジョブで読み取ったか否かを判断し、読取ジョブで読み取った原稿と同じ原稿を確認ジョブで読み取ったと判断したとき、コンタクトガラスに原稿が残っている旨の報知を報知部に行わせる。
【００１０】
本発明の第２の局面による画像形成装置は、上記画像読取装置を備える。
【００１１】
本発明の構成では、読取ジョブが終了して以降、ユーザーが原稿押えを開閉すると、画像読取装置において確認ジョブが行われる。ここで、ユーザーは読取ジョブが終了すると画像読取装置の設置場所から立ち去るが、読取ジョブが終了した時点では原稿押えによって原稿が押えられた状態になっているので、画像読取装置の設置場所からユーザーが立ち去るときには原稿押えを開閉する開閉作業が行われる。すなわち、画像読取装置による確認ジョブは画像読取装置の設置場所からユーザーが立ち去る準備をしているときに行われる。
【００１２】
画像読取装置による確認ジョブでは、基準データと同じラインの読み取り、すなわち、１ライン分の読み取りだけ行われる。したがって、確認ジョブは直ぐに終了し、読取ジョブで読み取った原稿と同じ原稿を確認ジョブで読み取ったか否か（原稿の取り忘れが発生しているか否か）を速やかに判断することができる。これにより、ユーザーが開閉作業を行ったにもかかわらず原稿を取り忘れた場合、画像読取装置の設置場所からユーザーが立ち去る前、あるいは、画像読取装置の設置場所の近くにユーザーが未だ居るときに、コンタクトガラスに原稿が残っている旨の報知（取り忘れ報知）を行うことができるようになる。その結果、ユーザーが取り忘れ報知に気付かないという不都合が生じ難くなるので、原稿の取り忘れを抑制することができる。また、基準データのデータ量は少ないので、記憶部に大容量の記憶領域を確保しておく必要はない。
【発明の効果】
【００１３】
本発明の構成では、原稿の取り忘れを抑制することができる。
【図面の簡単な説明】
【００１４】
【図１】本発明の一実施形態による複合機の構成を示す概略図
【図２】本発明の一実施形態による複合機の画像読取部の構成を示す図
【図３】本発明の一実施形態による複合機に設置された原稿押えの構成を示す図
【図４】本発明の一実施形態による複合機の構成を示すブロック図
【図５】本発明の一実施形態による複合機の制御部により行われる報知処理の流れを示すフローチャート
【図６】本発明の一実施形態による複合機の制御部により行われる基準データの設定について説明するための図
【図７】本発明の一実施形態による複合機の操作パネルに表示される報知画面を示す図
【発明を実施するための形態】
【００１５】
本発明の一実施形態による画像読取装置を備えた画像形成装置について、スキャン機能やプリント機能など複数種の機能が搭載された複合機を例にとって説明する。
【００１６】
＜複合機の構成＞
図１および図２に示すように、本実施形態の複合機１００は、画像読取部１を備える。画像読取部１は、コンタクトガラスＣＧに載置された原稿Ｄを読み取る読取ジョブを実行する。
【００１７】
画像読取部１は、光源１１、イメージセンサー１２、ミラー１３およびレンズ１４を含み、原稿Ｄを光学的に読み取る。これら画像読取部１の各部材は、画像読取部１の筐体１０の内部に収容される。画像読取部１の筐体１０の上面には開口が形成され、当該開口にコンタクトガラスＣＧが配置される。
【００１８】
光源１１は、複数のＬＥＤ素子（図示せず）を有する。複数のＬＥＤ素子は、主走査方向（図２の紙面に対して垂直な方向）にライン状に配列される。光源１１は、コンタクトガラスＣＧに向けて光を照射する。コンタクトガラスＣＧに原稿Ｄが載置されている場合には、コンタクトガラスＣＧを透過した光によって原稿Ｄが照射される。原稿Ｄで反射された反射光は、ミラー１３で反射され、レンズ１４に導かれる。レンズ１４は、反射光を集光する。
【００１９】
イメージセンサー１２は、原稿Ｄからの反射光（レンズ１４で集光された光）を受光することによって原稿Ｄをライン単位で読み取る。イメージセンサー１２は、主走査方向にライン状に並ぶ複数の光電変換素子を有するＣＣＤからなり、反射光を受光すると、ライン単位で画素毎に光電変換して電荷を蓄積する。そして、イメージセンサー１２は、蓄積電荷に応じたアナログ信号を出力する。
【００２０】
光源１１およびミラー１３は、主走査方向と直交する副走査方向に移動可能な移動枠１５に装着される。移動枠１５は、ワイヤー１６に連結される。ワイヤー１６は、巻取ドラム１７に巻回される。巻取ドラム１７は、巻取モーターＭＴの駆動力を受けて回転する。これにより、巻取モーターＭＴが駆動すると、巻取ドラム１７が回転するので、移動枠１５が副走査方向に移動する。すなわち、光源１１およびミラー１３が副走査方向に移動する。
【００２１】
読取ジョブの実行時には、移動枠１５が副走査方向（正面から見て左から右に向かう方向）に移動する。そして、移動枠１５が副走査方向に移動しているとき、光源１１がコンタクトガラスＣＧに向けて光を照射する。また、原稿Ｄで反射された反射光の光電変換をイメージセンサー１２が連続して繰り返し行う。これにより、原稿Ｄの読み取りがライン単位で行われる。
【００２２】
また、図３に示すように、画像読取部１の筐体１０には、原稿押え１０１が開閉可能に取り付けられる。具体的には、筐体１０の本体背面側に回転軸１０ａが設けられる。原稿押え１０１は、筐体１０の回転軸１０ａに回動可能（開閉可能）に支持され、筐体１０の回転軸１０ａを支点として回動する。すなわち、原稿押え１０１は、本体正面側の部分を自由端とし、本体正面側の部分を上下方向に振るように回動する。原稿押え１０１が閉じられると、原稿押え１０１とコンタクトガラスＣＧとが重なり、コンタクトガラスＣＧが原稿押え１０１によって完全に覆われる。このため、コンタクトガラスＣＧに載置した原稿Ｄを押えることができる。
【００２３】
原稿押え１０１の開閉を検知するため、画像読取部１の筐体１０には開閉センサー１１１が設けられる。たとえば、開閉センサー１１１は、発光部および受光部を有する光センサーである。また、開閉センサー１１１は、発光部と受光部との間を上下方向に移動可能なアクチュエーター１１２を検知対象とする。以下の説明では、開閉センサー１１１およびアクチュエーター１１２を含むユニットを背面側検知ユニットと称する場合がある。
【００２４】
原稿押え１０１を完全に開けているとき（図２の上図に示す状態のとき）、アクチュエーター１１２はコンタクトガラスＣＧよりも上方に突出する。このとき、アクチュエーター１１２は開閉センサー１１１の光路を遮らない（開閉センサー１１１がオンする）。この状態で、原稿押え１０１を閉じていくと、アクチュエーター１１２が原稿押え１０１に当接して下方に押し込まれる。そして、原稿押え１０１の傾斜角度（コンタクトガラスＣＧの上面との角度）が所定角度になるまで原稿押え１０１を閉じたとき（図２の下図に示す状態のとき）、アクチュエーター１１２が開閉センサー１１１の光路を遮る（開閉センサー１１１がオフする）。その後、原稿押え１０１を完全に閉じると、アクチュエーター１１２は原稿押え１０１によってさらに下方に押し込まれるが、開閉センサー１１１の光路はアクチュエーター１１２によって遮られたままである。
【００２５】
変形例として、画像読取部１の筐体１０の本体背面側だけでなく、筐体１０の本体正面側の所定位置（たとえば、図３の符号Ｐで示す位置）にも原稿押え１０１の開閉を検知するための正面側検知ユニットを設置してもよい。正面側検知ユニットの構成は特に限定されず、背面側検知ユニットと同じ構成にしてもよい。あるいは、筐体１０の所定位置Ｐに開閉センサー１１１に相当する開閉センサーを設置し、当該開閉センサーの検知対象となる検知片を原稿押え１０１に設置してもよい。たとえば、正面側検知ユニットの開閉センサーの設置位置（上下方向の位置）は、原稿押え１０１が完全に閉じられるまではセンサーの光路が遮光されず、原稿押え１０１が完全に閉じられたときにセンサーの光路が遮光されるように調整される。すなわち、正面側検知ユニットの開閉センサーは、原稿押え１０１が完全に閉じられたとき、原稿押え１０１が閉状態であることを示す値を出力する。
【００２６】
図１に戻って、複合機１００は、印刷部２を備える。印刷部２は、用紙搬送路（図１では、破線で示す）に沿って用紙を搬送する。また、印刷部２は、印刷すべき画像の画像データに基づきトナー像を形成する。そして、印刷部２は、搬送中の用紙にトナー像を印刷する。なお、印刷部２は、用紙カセットに収容された用紙を用紙搬送路に給紙する給紙部２１、トナー像を形成して用紙に転写する画像形成部２２、および、用紙に転写されたトナー像を定着させる定着部２３などで構成される。たとえば、印刷部２は、画像読取部１による読取ジョブの読み取りによって得られた原稿Ｄの画像データに基づき印刷を行う。
【００２７】
複合機１００には、操作パネル３が設けられる。たとえば、操作パネル３は、画像読取部１の筐体１０に取り付けられる。操作パネル３は「報知部」に相当する。
【００２８】
操作パネル３は、タッチパネルディスプレイ３１およびハードウェアキー３２を含む。タッチパネルディスプレイ３１は、ソフトウェアキーを配した設定画面を表示し、ユーザーから各種設定を受け付ける。さらに、タッチパネルディスプレイ３１は、メッセージを表示し、ユーザーに対して各種報知を行う。ハードウェアキー３２は、操作パネル３に複数設けられる。たとえば、ハードウェアキー３２としては、読取ジョブを伴うジョブ（コピージョブなど）の実行指示をユーザーから受け付けるためのスタートキーなどがある。
【００２９】
また、図４に示すように、複合機１００は、制御部４およびメモリー５を備える。メモリー５は「記憶部」に相当する。
【００３０】
制御部４は、ＣＰＵを含む。制御部４は、制御用のプログラムおよびデータに基づき動作し、複合機１００の各部を制御するための処理を行う。メモリー５は、不揮発性メモリー（ＲＯＭ）および揮発性メモリー（ＲＡＭ）を含む。制御用のプログラムおよびデータは、ＲＯＭに記憶され、ＲＡＭに展開される。
【００３１】
制御部４は、画像読取部１に接続される。そして、制御部４は、画像読取部１を制御する処理（読取制御処理）を行う。また、制御部４は、画像読取部１が読み取った原稿Ｄの画像データに対して画像処理を行う。たとえば、制御部４には、画像処理用の回路やメモリーが搭載される。
【００３２】
制御部４は、光源１１およびイメージセンサー１２に接続され、光源１１の点消灯動作およびイメージセンサー１２の読取動作を制御する。また、制御部４は、巻取モーターＭＴに接続される。制御部４は、巻取モーターＭＴの駆動を制御し、巻取ドラム１７の回転と回転停止とを切り替えるとともに、巻取ドラム１７の回転方向を切り替える。制御部４は、巻取モーターＭＴの駆動を制御することにより、光源１１およびミラー１３が装着された移動枠１５を副走査方向に適切に移動させる。
【００３３】
また、制御部４は、画像読取部１が読み取った原稿Ｄの画像データ（イメージセンサー１２のアナログ出力）を増幅する処理や、アナログ出力をデジタルの画像データに変換する処理、シェーディング補正処理などを行う。なお、これら処理を行うデータ処理部が制御部４とは別に設けられてもよい。制御部４は、原稿Ｄの画像データをメモリー５に一旦記憶させる。そして、制御部４は、原稿Ｄの画像データに対して種々の画像処理（拡大縮小処理や回転処理、濃度変換処理など）を施し、印刷部２に印刷を行わせるためのデータを生成する。
【００３４】
また、制御部４は、開閉センサー１１１に接続され、開閉センサー１１１の出力値に基づき、原稿押え１０１の開閉を検知する。制御部４は、開閉センサー１１１の出力値が第１レベル（たとえば、Ｌレベル）から第２レベル（たとえば、Ｈレベル）に変化したことを検知すると、すなわち、開閉センサー１１１の光路が遮光状態から非遮光状態に変化すると、原稿押え１０１が閉状態から開状態になったと判断する。一方で、制御部４は、開閉センサー１１１の出力値が第２レベルから第１レベルに変化したことを検知すると、すなわち、開閉センサー１１１の光路が非遮光状態から遮光状態に変化すると、原稿押え１０１が開状態から閉状態になったと判断する。
【００３５】
ユーザーが開閉カバー１０１を開けようとしているとき、開閉カバー１０１が完全に開けられる前に開閉センサー１１１の出力値が第１レベルから第２レベルに変化する。このため、制御部４は、開閉カバー１０１が完全に開けられる前に開閉カバー１０１が開けられたと判断する。同様に、ユーザーが開閉カバー１０１を閉じようとしているとき、開閉カバー１０１が完全に閉じられる前に、開閉センサー１１１の出力値が第２レベルから第１レベルに変化する。このため、制御部４は、開閉カバー１０１が完全に閉じられる前に開閉カバー１０１が閉じられたと判断する。
【００３６】
また、制御部４は、印刷部２に接続され、印刷部２の印刷動作を制御する。さらに、制御部４は、操作パネル３に接続される。そして、制御部４は、操作パネル３の表示動作を制御するとともに、操作パネル３に対して行われた操作を検知する。
【００３７】
＜取り忘れ報知＞
制御部４は、原稿Ｄの取り忘れが発生している場合にその旨をユーザーに報知する報知処理を行う。制御部４は、画像読取部１による読取ジョブが終了して以降、直前の読取ジョブで読み取った原稿ＤがコンタクトガラスＣＧに残っているか否か（原稿Ｄの取り忘れが発生しているか否か）を判断する処理を報知処理の一処理として行う。そして、直前の読取ジョブで読み取った原稿ＤがコンタクトガラスＣＧに残っていると判断した場合、制御部４は、直前の読取ジョブで読み取った原稿ＤがコンタクトガラスＣＧに残っている旨の報知を操作パネル３に行わせる。
【００３８】
以下に、図５に示すフローチャートを参照し、制御部４により行われる報知処理の流れを説明する。図５に示すフローチャートは、読取ジョブを伴うジョブの実行指示を操作パネル３が受け付けたときにスタートする。
【００３９】
ステップＳ１において、制御部４は、画像読取部１に読取ジョブを開始させる。すなわち、画像読取部１は、コンタクトガラスＣＧに載置された原稿Ｄを読み取って原稿Ｄの画像データを生成する処理を行う。
【００４０】
ステップＳ２において、制御部４は、読取ジョブが終了したか否かを判断する。言い換えると、制御部４は、読取ジョブで読み取った原稿Ｄの画像データの生成が終了したか否かを判断する。その結果、読取ジョブが終了したと制御部４が判断した場合には、ステップＳ３に移行し、読取ジョブが終了していないと制御部４が判断した場合には、ステップＳ２の処理（制御部４による判断）が繰り返される。なお、実行ジョブがコピージョブである場合には、読取ジョブの終了後、読取ジョブで得られた原稿Ｄの画像データに基づく印刷が印刷部２により行われる。
【００４１】
ステップＳ３に移行すると、制御部４は、直前の読取ジョブで得られた原稿Ｄの画像データのうち当該原稿Ｄに記録された画像が存在する画像領域を認識する。そして、制御部４は、画像領域の画素を含む主走査ラインの画像データであって、副走査方向の先端位置に最も近い１ライン分の主走査ラインの画像データを基準データに設定してメモリー５に記憶させる。メモリー５に記憶された基準データは原稿Ｄの取り忘れが発生しているか否かの判断に用いられる。たとえば、制御部４は、基準データに設定した主走査ラインの画像データの副走査方向の位置を示す基準データ情報（基準データに設定した主走査ラインの画像データが副走査方向の先端位置から何ライン目の画像データであるかを示す情報）をメモリー５に記憶させる。
【００４２】
一例として、図６に示すような画像データ１００Ｄが直前の読取ジョブで得られたとする。また、画像データ１００Ｄのうちハッチングされた領域１００Ａが画像領域であったとする。この場合、制御部４は、符号Ｌ１を付した主走査ラインの画像データを基準データに設定する。なお、符号Ｌ２〜Ｌ４を付した主走査ラインの画像データも画像領域１００Ａの画素を含む。しかし、主走査ラインＬ１〜Ｌ４の画像データのうち主走査ラインＬ１の画像データが副走査方向の先端位置に最も近いので、主走査ラインＬ１の画像データが基準データに設定される。
【００４３】
図５に戻り、ステップＳ４において、制御部４は、開閉センサー１１１の出力値に基づき、原稿押え１０１が開閉されたか否かを判断する。言い換えると、制御部４は、閉状態の原稿押え１０１が開状態となり、その後、開状態の原稿押え１０１が閉状態になったか否かを判断する。なお、画像読取部１の筐体１０に正面側検知ユニットが設置されている場合、制御部４は、正面側検知ユニットの開閉センサーの出力値に基づき、原稿押え１０１が開閉されたか否かを判断する。
【００４４】
ここで、通常では、読取ジョブが終了して以降、コンタクトガラスＣＧに載置した原稿Ｄを取り出すため、ユーザーは原稿押え１０１を開ける。そして、ユーザーはコンタクトガラスＣＧから原稿Ｄを取り出すと、原稿押え１０１を閉じる。すなわち、制御部４が原稿押え１０１の開閉を検知したということは、コンタクトガラスＣＧから原稿Ｄを取り出す作業をユーザーが行ったということである。なお、原稿Ｄを取り出す作業をユーザーが行った場合、開閉センサー１１１の出力値は、原稿押え１０１が閉状態であることを示す値（第１レベル）から開状態であることを示す値（第２レベル）に変化し、その後、原稿押え１０１が閉状態であることを示す値（第１レベル）に変化する。
【００４５】
ステップＳ４において、原稿押え１０１が開閉されたと制御部４が判断した場合には、ステップＳ５に移行する。ステップＳ５に移行すると、制御部４は、基準データ情報に基づき、基準データと同じラインを読み取る確認ジョブを画像読取部１に行わせる。画像読取部１による確認ジョブでは、１ライン分の読み取りだけが行われる。
【００４６】
ステップＳ６において、制御部４は、確認ジョブで得られた１ライン分の主走査ラインの画像データ（基準データと同じラインの画像データ）を確認用データとして取得する。そして、制御部４は、確認用データと基準データとを比較する。その後、ステップＳ７において、制御部４は、比較結果に基づき、直前の読取ジョブで読み取った原稿Ｄと同じ原稿Ｄを確認ジョブで読み取ったか否かを判断する。
【００４７】
たとえば、制御部４は、確認用データに含まれる画素の画素値（濃度や色）を認識するとともに、基準データに含まれる画素の画素値を認識する。また、制御部４は、確認用データから１つずつ確認対象画素を設定し、基準データのうち確認対象画素と主走査方向の位置が同じ画素の画素値が確認対象画素と一致するか否かを確認する確認処理を行う。そして、制御部４は、確認用データの全画素について確認処理を行い、確認用データの全画素の各画素値が基準データの対応する画素（主走査方向の位置が同じ画素）の画素値と一致するという結果が得られた場合、確認用データと基準データとが同じと判断する。すなわち、この場合、制御部４は、直前の読取ジョブで読み取った原稿Ｄと同じ原稿Ｄを確認ジョブで読み取ったと判断する。
【００４８】
たとえば、読取ジョブが終了して以降、ユーザーが原稿押え１０１を開けたにもかかわらず、コンタクトガラスＣＧから原稿Ｄを取り忘れ、原稿押え１０１を閉じたとする。この場合には、直前の読取ジョブで読み取った原稿ＤがコンタクトガラスＣＧに載置されたままになっているので、確認ジョブでは直前の読取ジョブで読み取った原稿Ｄと同じ原稿Ｄの読み取りが行われる。したがって、直前の読取ジョブで読み取った原稿Ｄと同じ原稿Ｄを確認ジョブで読み取ったと制御部４により判断される。
【００４９】
ステップＳ７において、直前の読取ジョブで読み取った原稿Ｄと同じ原稿Ｄを確認ジョブで読み取ったと制御部４が判断した場合には、ステップＳ８に移行する。ステップＳ８に移行すると、制御部４は、コンタクトガラスＣＧに原稿Ｄが残っている旨（原稿Ｄを取り忘れている旨）の報知を操作パネル３に行わせる。
【００５０】
たとえば、操作パネル３は、図７に示すように、報知メッセージＭＧを配した報知画面３００を表示することにより、コンタクトガラスＣＧに原稿Ｄが残っている旨をユーザーに報知する。なお、スピーカーなどを含む音出力部を操作パネル３に設置し、直前の読取ジョブで読み取った原稿Ｄと同じ原稿Ｄを確認ジョブで読み取ったと制御部４が判断したとき、音出力部から警告音を出力してもよい。
【００５１】
図５に戻り、ステップＳ７において、確認ジョブでは直前の読取ジョブで読み取った原稿Ｄと同じ原稿Ｄを読み取っていないと制御部４が判断した場合には、ステップＳ９に移行する。たとえば、ユーザーが原稿押え１０１を開けた後、コンタクトガラスＣＧから原稿Ｄを取り出して原稿押え１０１を閉じた場合や、別の原稿ＤをコンタクトガラスＣＧに載置して原稿押え１０１を閉じた場合に、確認ジョブでは直前の読取ジョブで読み取った原稿Ｄと同じ原稿Ｄを読み取っていないと制御部４が判断する。ステップＳ９に移行すると、制御部４は、ジョブの実行が可能な状態（レディ状態）で待機する。
【００５２】
ステップＳ４において、原稿押え１０１が開閉されていないと制御部４が判断した場合には、ステップＳ１０に移行する。ステップＳ１０に移行すると、制御部４は、読取ジョブが終了してから、原稿押え１０１が閉じられたまま所定時間が経過したか否かを判断する。その結果、所定時間が経過したと制御部４が判断した場合には、ステップＳ８に移行し、所定時間が経過していないと制御部４が判断した場合には、ステップＳ４に戻る。
【００５３】
本実施形態の複合機１００（画像読取装置および画像形成装置）は、上記のように、コンタクトガラスＣＧに載置された原稿Ｄを読み取る読取ジョブを実行する画像読取部１と、開閉可能に支持され、閉じられることによってコンタクトガラスＣＧに載置された原稿Ｄを押える原稿押え１０１と、原稿押え１０１の開閉を検知するための開閉センサー１１１と、画像読取部１を制御する制御部４と、情報を記憶するメモリー５（記憶部）と、ユーザーに対して報知を行う操作パネル３（報知部）と、を備える。制御部４は、読取ジョブで得られた原稿Ｄの画像データのうち１ライン分の主走査ラインの画像データを基準データとしてメモリー５に記憶させ、読取ジョブが終了して以降、開閉センサー１１１の出力値に基づき原稿押え１０１が開閉されたことを検知すると、基準データと同じラインを読み取る確認ジョブを画像読取部１に行わせ、確認ジョブで得られた画像データである確認用データと基準データとを比較することにより、読取ジョブで読み取った原稿Ｄと同じ原稿Ｄを確認ジョブで読み取ったか否かを判断し、読取ジョブで読み取った原稿Ｄと同じ原稿Ｄを確認ジョブで読み取ったと判断したとき、コンタクトガラスＣＧに原稿Ｄが残っている旨の報知を操作パネル３に行わせる。
【００５４】
本実施形態の構成では、読取ジョブが終了して以降、ユーザーが原稿押え１０１を開閉すると、複合機１００において確認ジョブが行われる。ここで、ユーザーは読取ジョブが終了すると複合機１００の設置場所から立ち去るが、読取ジョブが終了した時点では原稿押え１０１によって原稿Ｄが押えられた状態になっているので、複合機１００の設置場所からユーザーが立ち去るときには原稿押え１０１を開閉する開閉作業が行われる。すなわち、複合機１００による確認ジョブは複合機１００の設置場所からユーザーが立ち去る準備をしているときに行われる。
【００５５】
複合機１００による確認ジョブでは、基準データと同じラインの読み取り、すなわち、１ライン分の読み取りだけ行われる。したがって、確認ジョブは直ぐに終了し、読取ジョブで読み取った原稿Ｄと同じ原稿Ｄを確認ジョブで読み取ったか否か（原稿Ｄの取り忘れが発生しているか否か）を速やかに判断することができる。これにより、ユーザーが開閉作業を行ったにもかかわらず原稿Ｄを取り忘れた場合、複合機１００の設置場所からユーザーが立ち去る前、あるいは、複合機１００の設置場所の近くにユーザーが未だ居るときに、コンタクトガラスＣＧに原稿Ｄが残っている旨の報知（取り忘れ報知）を行うことができるようになる。その結果、ユーザーが取り忘れ報知に気付かないという不都合が生じ難くなるので、原稿Ｄの取り忘れを抑制することができる。また、基準データのデータ量は少ないので、メモリー５に大容量の記憶領域を確保しておく必要はない。
【００５６】
また、本実施形態では、上記のように、制御部４は、確認ジョブでは読取ジョブで読み取った原稿Ｄと同じ原稿Ｄを読み取っていないと判断したとき、コンタクトガラスＣＧに原稿Ｄが残っている旨の報知を操作パネル３に行わせない。ここで、ユーザーによっては、複合機１００による読取ジョブが終了して以降、続けて別の読取ジョブを複合機１００に実行させる場合がある。この場合、先行の読取ジョブが終了して以降、別の原稿ＤをコンタクトガラスＣＧに載置するために原稿押え１０１が開けられ、コンタクトガラスＣＧに別の原稿Ｄが載置されると原稿押え１０１が閉じられる。このときにも確認ジョブは行われるが、確認ジョブでは読取ジョブで読み取った原稿Ｄと同じ原稿Ｄを読み取っていないと制御部４が判断する。言い換えると、コンタクトガラスＣＧに原稿Ｄが載置されているが当該原稿Ｄはユーザーが取り忘れた原稿Ｄではない（コンタクトガラスＣＧに新規に載置された原稿Ｄである）と判断される。このため、操作パネル３は取り忘れ報知を行わない。これにより、取り忘れ報知が不必要に行われるのを抑制することができる。
【００５７】
また、本実施形態では、上記のように、制御部４は、読取ジョブで読み取った原稿Ｄの画像データのうち当該原稿Ｄに記録された画像が存在する画像領域を認識し、画像領域の画素を含む主走査ラインの画像データのうち副走査方向の先端位置に最も近い主走査ラインの画像データを基準データとしてメモリー５に記憶させる。これにより、読取ジョブで読み取った原稿Ｄと同じ原稿Ｄを確認ジョブで読み取ったか否かの判断を正確に行うことができる。また、確認ジョブを行うとき、速やかに、移動枠１５（光源１１）を基準データと同じラインを読み取るための位置に移動させることができる。
【００５８】
また、本実施形態では、上記のように、制御部４は、読取ジョブが終了してから、原稿押え１０１が閉じられたまま所定時間が経過したとき、コンタクトガラスＣＧに原稿Ｄが残っている旨の報知を操作パネル３に行わせる。ここで、読取ジョブが終了してから所定時間が経過しても原稿押え１０１が閉じられたままになっているということは、ユーザーが原稿Ｄを取り忘れている可能性が高い。したがって、この場合には、確認ジョブを行わず、コンタクトガラスＣＧに原稿Ｄが残っている旨を報知するのが好ましい。
【００５９】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００６０】
１  画像読取部
３  操作パネル（報知部）
４  制御部
５  メモリー（記憶部）
１０１  原稿押え
１１１  開閉センサー
ＣＧ  コンタクトガラス
Ｄ  原稿
【図１】
2019075751.tif 000003
【図２】
2019075751.tif 000004
【図３】
2019075751.tif 000005
【図４】
2019075751.tif 000006
【図５】
2019075751.tif 000007
【図６】
2019075751.tif 000008
【図７】
2019075751.tif 000009